(57)【要約】【課題】生コン使用量の低減に寄与することができる重力式防潮堤を提供する。【解決手段】基礎構造２０は、その内部にさらに、プレキャスト壁体４０の略法線方向に延びる第１の鉄筋３２Ａ、３２Ｂをプレキャスト壁体４０の法線方向と略直交する略水平方向に所定のピッチＡで複数備え、プレキャスト壁体４０の法線方向と略直交する略水平方向に延びる第２の鉄筋３４Ａ、３４Ｂをプレキャスト壁体４０の略法線方向に所定のピッチＢで複数備えていて、第１の鉄筋３２Ａ、３２Ｂは、水平方向骨格部材２８の上端よりも上方の位置および水平方向骨格部材２８の下端よりも下方の位置の両方にそれぞれ前記所定のピッチＡで複数配置されており、第２の鉄筋３４Ａ、３４Ｂは、水平方向骨格部材２８の上端よりも上方の位置および水平方向骨格部材２８の下端よりも下方の位置の両方にそれぞれ前記所定のピッチＢで複数配置されている。【選択図】図１
2018009361.tif 000002
【特許請求の範囲】
【請求項１】
現場打ちコンクリートを用いて形成された基礎構造と、
該基礎構造の上方に配置され、面内方向に貫通する壁体貫通孔を有し、該壁体貫通孔の内面に壁体さや管を有するプレキャスト壁体と、
前記基礎構造および前記プレキャスト壁体を連結する芯材と、
を備えた重力式防潮堤であって、
前記基礎構造は少なくとも上方に開口した上方開口孔を有し、該上方開口孔の内面には前記基礎構造の上面よりも上方の位置まで延伸している突出さや管が備えられ、
前記プレキャスト壁体の前記壁体さや管には前記突出さや管が差し込まれ、前記突出さや管には前記芯材が差し込まれ、
前記突出さや管に差し込まれた前記芯材は、前記突出さや管の上端よりも上方に延伸していて前記壁体さや管の内部を挿通して前記プレキャスト壁体の天端付近に達しており、
前記突出さや管は該突出さや管が差し込まれた前記壁体さや管と一体化しており、前記芯材は該芯材が差し込まれた前記突出さや管および該芯材が挿通する前記壁体さや管と一体化しており、
前記基礎構造は、その内部に、前記プレキャスト壁体の法線方向と略直交する略水平方向に水平方向骨格部材を備えていて、
前記水平方向骨格部材は前記突出さや管と連結されており、
前記基礎構造は、その内部にさらに、前記プレキャスト壁体の略法線方向に延びる第１の鉄筋を前記プレキャスト壁体の法線方向と略直交する略水平方向に所定のピッチＡで複数備え、前記プレキャスト壁体の法線方向と略直交する略水平方向に延びる第２の鉄筋を前記プレキャスト壁体の略法線方向に所定のピッチＢで複数備えていて、
前記第１の鉄筋は、前記水平方向骨格部材の上端よりも上方の位置および前記水平方向骨格部材の下端よりも下方の位置の両方にそれぞれ前記所定のピッチＡで複数配置されており、前記第２の鉄筋は、前記水平方向骨格部材の上端よりも上方の位置および前記水平方向骨格部材の下端よりも下方の位置の両方にそれぞれ前記所定のピッチＢで複数配置されていることを特徴とする重力式防潮堤。
【請求項２】
現場打ちコンクリートを用いて形成された基礎構造と、
該基礎構造の上方に配置され、面内方向に貫通する壁体貫通孔を有し、該壁体貫通孔の内面に壁体さや管を有する複数のプレキャスト壁体と、
前記基礎構造および前記複数のプレキャスト壁体を連結する芯材と、
を備えた重力式防潮堤であって、
前記基礎構造は少なくとも上方に開口した上方開口孔を有し、該上方開口孔の内面には前記基礎構造の上面よりも上方の位置まで延伸している突出さや管が備えられ、
前記プレキャスト壁体は、前記壁体貫通孔同士が連結するように鉛直方向に複数積み重ねられ、鉛直方向に複数積み重ねられた前記プレキャスト壁体のうち少なくとも最下段の前記プレキャスト壁体の前記壁体さや管には前記突出さや管が差し込まれ、該突出さや管には前記芯材が差し込まれ、
前記突出さや管に差し込まれた前記芯材は、前記突出さや管の上端よりも上方に延伸していて前記壁体さや管の内部を挿通して、鉛直方向に複数積み重ねられた前記プレキャスト壁体の最上段の前記プレキャスト壁体の天端付近に達しており、
前記突出さや管は該突出さや管が差し込まれた前記壁体さや管と一体化しており、前記芯材は該芯材が差し込まれた前記突出さや管および該芯材が挿通する前記壁体さや管と一体化しており、
前記基礎構造は、その内部に、前記プレキャスト壁体の法線方向と略直交する略水平方向に水平方向骨格部材を備えていて、
前記水平方向骨格部材は前記突出さや管と連結されており、
前記基礎構造は、その内部にさらに、前記プレキャスト壁体の略法線方向に延びる第１の鉄筋を前記プレキャスト壁体の法線方向と略直交する略水平方向に所定のピッチＡで複数備え、前記プレキャスト壁体の法線方向と略直交する略水平方向に延びる第２の鉄筋を前記プレキャスト壁体の略法線方向に所定のピッチＢで複数備えていて、
前記第１の鉄筋は、前記水平方向骨格部材の上端よりも上方の位置および前記水平方向骨格部材の下端よりも下方の位置の両方にそれぞれ前記所定のピッチＡで複数配置されており、前記第２の鉄筋は、前記水平方向骨格部材の上端よりも上方の位置および前記水平方向骨格部材の下端よりも下方の位置の両方にそれぞれ前記所定のピッチＢで複数配置されていることを特徴とする重力式防潮堤。
【請求項３】
前記水平方向骨格部材の上端よりも上方に位置する複数の前記第１の鉄筋は前記水平方向骨格部材の下端よりも下方に位置する複数の前記第１の鉄筋と略鉛直方向にそれぞれ対向するように略平行に配置されており、前記水平方向骨格部材の上端よりも上方に位置する複数の前記第２の鉄筋は前記水平方向骨格部材の下端よりも下方に位置する複数の前記第２の鉄筋と略鉛直方向にそれぞれ対向するように略平行に配置されていて、前記水平方向骨格部材の上端よりも上方に位置する前記第１の鉄筋と前記水平方向骨格部材の上端よりも上方に位置する前記第２の鉄筋との交点Ｘの略鉛直方向の下方には、前記水平方向骨格部材の下端よりも下方に位置する前記第１の鉄筋と前記水平方向骨格部材の下端よりも下方に位置する前記第２の鉄筋との交点Ｙが位置しており、
前記基礎構造は、両端部にフックを有する第３の鉄筋をその長手方向が略鉛直方向となるように内部に複数備えていて、前記第３の鉄筋は、その両端部の前記フックが、前記交点Ｘおよび前記交点Ｙにおいて、前記第１の鉄筋および前記第２の鉄筋に引っ掛けられて配置されていることを特徴とする請求項１または２に記載の重力式防潮堤。
【請求項４】
前記基礎構造は、略長方形状に閉じた第１の帯鉄筋を複数有しており、前記第１の帯鉄筋を含む平面は、前記プレキャスト壁体の法線方向と略平行な略鉛直面であり、前記第１の帯鉄筋を含む前記平面で前記基礎構造を切断した切断面の形状は略長方形であり、略長方形の前記切断面の４辺に沿うように、前記第１の帯鉄筋が配置されており、
前記第１の帯鉄筋の上辺および下辺の鉄筋はどちらも前記第１の鉄筋であることを特徴とする請求項１〜３のいずれかに記載の重力式防潮堤。
【請求項５】
前記基礎構造は、略長方形状に閉じた第２の帯鉄筋を複数有しており、前記第２の帯鉄筋を含む平面は、前記プレキャスト壁体の法線方向と略直交しており、前記第２の帯鉄筋を含む前記平面で前記基礎構造を切断した切断面の形状は略長方形であり、略長方形の前記切断面の４辺に沿うように、前記第２の帯鉄筋が配置されており、
前記第２の帯鉄筋の上辺および下辺の鉄筋はどちらも前記第２の鉄筋であることを特徴とする請求項１〜４のいずれかに記載の重力式防潮堤。
【請求項６】
前記突出さや管の部位のうち前記基礎構造に埋め込まれた部位の外表面には、略水平方向に突出するようにダイヤフラムが設けられており、該ダイヤフラムに前記水平方向骨格部材が取り付けられていることを特徴とする請求項１〜５のいずれかに記載の重力式防潮堤。
【請求項７】
前記突出さや管は鋼管であり、前記ダイヤフラムは鋼板であり、前記水平方向骨格部材はＩ形の鋼材であることを特徴とする請求項６に記載の重力式防潮堤。
【請求項８】
前記芯材は鋼管であることを特徴とする請求項１〜７のいずれかに記載の重力式防潮堤。
【請求項９】
前記芯材は、鋼板からビルドアップして製作された鋼材であるか、または形鋼であることを特徴とする請求項１〜７のいずれかに記載の重力式防潮堤。
【請求項１０】
前記突出さや管と該突出さや管が差し込まれた前記壁体さや管との間隙にはグラウト材が充填され、前記芯材と該芯材が差し込まれた前記突出さや管との間隙にはグラウト材が充填され、前記芯材と該芯材が内部を挿通する前記壁体さや管との間隙にはグラウト材が充填されていることを特徴とする請求項１〜９のいずれかに記載の重力式防潮堤。
【請求項１１】
前記プレキャスト壁体は、その法線方向の両端部の壁厚がそれ以外の部位の壁厚よりも厚くなっており、前記プレキャスト壁体の前記両端部に前記壁体さや管が備えられていることを特徴とする請求項１〜１０のいずれかに記載の重力式防潮堤。
【請求項１２】
前記基礎構造は、その下面に、前記プレキャスト壁体の略法線方向に延びる、下方に突出した突出部を有していることを特徴とする請求項１〜１１のいずれかに記載の重力式防潮堤。
【発明の詳細な説明】
【技術分野】
【０００１】
本発明は、重力式防潮堤に関し、詳細には、プレキャスト化された壁体を備えて生コン使用量の低減に寄与することができる重力式防潮堤に関する。
【背景技術】
【０００２】
２０１１年３月１１日に発生した東北地方太平洋沖地震による大津波は、三陸沿岸域に大きな被害をもたらした。この大被害を受け、三陸沿岸域では防潮堤の復旧および整備が現在鋭意進められている。
【０００３】
三陸沿岸域における防潮堤の復旧および整備においては、大津波への抵抗力の観点から、杭式の防潮堤が検討される場合がある。
【０００４】
しかしながら、三陸沿岸域は地層構造が複雑であり、岩などの固い地盤が地表近くに現れることも多い。そのような場所では、杭の打設が非常に困難になり、杭式の防潮堤を設置することには困難が伴う。
【０００５】
そのような場合には、杭式以外の構造形式の防潮堤を検討せざるを得なく、杭を備えない重力式防潮堤が有力な選択肢として浮上する。杭を備えない重力式防潮堤は、例えば、特許文献１、２等に記載されている。
【０００６】
一方、三陸沿岸域では依然として生コン不足が続いており、現場での生コン使用量を少なくすることが望まれているが、重力式防潮堤は現場での生コン使用量は多くなる傾向がある。
【先行技術文献】
【特許文献】
【０００７】
【特許文献１】特開２０１２−６２７５０号公報
【特許文献２】特開２０１５−２２９８９６号公報
【発明の概要】
【発明が解決しようとする課題】
【０００８】
本発明は、かかる状況に鑑みてなされたものであって、生コン使用量の低減に寄与することができる重力式防潮堤を提供することを課題とする。
【課題を解決するための手段】
【０００９】
本発明は、以下の重力式防潮堤により、前記課題を解決したものである。
【００１０】
即ち、本発明に係る重力式防潮堤の第１の態様は、現場打ちコンクリートを用いて形成された基礎構造と、該基礎構造の上方に配置され、面内方向に貫通する壁体貫通孔を有し、該壁体貫通孔の内面に壁体さや管を有するプレキャスト壁体と、前記基礎構造および前記プレキャスト壁体を連結する芯材と、を備えた重力式防潮堤であって、前記基礎構造は少なくとも上方に開口した上方開口孔を有し、該上方開口孔の内面には前記基礎構造の上面よりも上方の位置まで延伸している突出さや管が備えられ、前記プレキャスト壁体の前記壁体さや管には前記突出さや管が差し込まれ、前記突出さや管には前記芯材が差し込まれ、前記突出さや管に差し込まれた前記芯材は、前記突出さや管の上端よりも上方に延伸していて前記壁体さや管の内部を挿通して前記プレキャスト壁体の天端付近に達しており、前記突出さや管は該突出さや管が差し込まれた前記壁体さや管と一体化しており、前記芯材は該芯材が差し込まれた前記突出さや管および該芯材が挿通する前記壁体さや管と一体化しており、前記基礎構造は、その内部に、前記プレキャスト壁体の法線方向と略直交する略水平方向に水平方向骨格部材を備えていて、前記水平方向骨格部材は前記突出さや管と連結されており、前記基礎構造は、その内部にさらに、前記プレキャスト壁体の略法線方向に延びる第１の鉄筋を前記プレキャスト壁体の法線方向と略直交する略水平方向に所定のピッチＡで複数備え、前記プレキャスト壁体の法線方向と略直交する略水平方向に延びる第２の鉄筋を前記プレキャスト壁体の略法線方向に所定のピッチＢで複数備えていて、前記第１の鉄筋は、前記水平方向骨格部材の上端よりも上方の位置および前記水平方向骨格部材の下端よりも下方の位置の両方にそれぞれ前記所定のピッチＡで複数配置されており、前記第２の鉄筋は、前記水平方向骨格部材の上端よりも上方の位置および前記水平方向骨格部材の下端よりも下方の位置の両方にそれぞれ前記所定のピッチＢで複数配置されていることを特徴とする重力式防潮堤である。
【００１１】
ここで、前記プレキャスト壁体の法線方向とは、該プレキャスト壁体の壁面の延長方向のことであり、前記重力式防潮堤の延びる方向（海岸線にほぼ沿う方向となることが多い。）のことである。なお、以下では、プレキャスト壁体の法線方向を単に法線方向と記すことがあり、また、プレキャスト壁体の法線方向と直交する水平方向を法直方向と記すことがある。
【００１２】
また、「前記水平方向骨格部材は前記突出さや管と連結されており」とは、前記水平方向骨格部材が前記突出さや管と接触して直接的に連結されている場合だけでなく、他の部材を介して前記水平方向骨格部材が前記突出さや管と間接的に連結されている場合も含む概念である。
【００１３】
本発明に係る重力式防潮堤の第２の態様は、現場打ちコンクリートを用いて形成された基礎構造と、該基礎構造の上方に配置され、面内方向に貫通する壁体貫通孔を有し、該壁体貫通孔の内面に壁体さや管を有する複数のプレキャスト壁体と、前記基礎構造および前記複数のプレキャスト壁体を連結する芯材と、を備えた重力式防潮堤であって、前記基礎構造は少なくとも上方に開口した上方開口孔を有し、該上方開口孔の内面には前記基礎構造の上面よりも上方の位置まで延伸している突出さや管が備えられ、前記プレキャスト壁体は、前記壁体貫通孔同士が連結するように鉛直方向に複数積み重ねられ、鉛直方向に複数積み重ねられた前記プレキャスト壁体のうち少なくとも最下段の前記プレキャスト壁体の前記壁体さや管には前記突出さや管が差し込まれ、該突出さや管には前記芯材が差し込まれ、前記突出さや管に差し込まれた前記芯材は、前記突出さや管の上端よりも上方に延伸していて前記壁体さや管の内部を挿通して、鉛直方向に複数積み重ねられた前記プレキャスト壁体の最上段の前記プレキャスト壁体の天端付近に達しており、前記突出さや管は該突出さや管が差し込まれた前記壁体さや管と一体化しており、前記芯材は該芯材が差し込まれた前記突出さや管および該芯材が挿通する前記壁体さや管と一体化しており、前記基礎構造は、その内部に、前記プレキャスト壁体の法線方向と略直交する略水平方向に水平方向骨格部材を備えていて、前記水平方向骨格部材は前記突出さや管と連結されており、前記基礎構造は、その内部にさらに、前記プレキャスト壁体の略法線方向に延びる第１の鉄筋を前記プレキャスト壁体の法線方向と略直交する略水平方向に所定のピッチＡで複数備え、前記プレキャスト壁体の法線方向と略直交する略水平方向に延びる第２の鉄筋を前記プレキャスト壁体の略法線方向に所定のピッチＢで複数備えていて、前記第１の鉄筋は、前記水平方向骨格部材の上端よりも上方の位置および前記水平方向骨格部材の下端よりも下方の位置の両方にそれぞれ前記所定のピッチＡで複数配置されており、前記第２の鉄筋は、前記水平方向骨格部材の上端よりも上方の位置および前記水平方向骨格部材の下端よりも下方の位置の両方にそれぞれ前記所定のピッチＢで複数配置されていることを特徴とする重力式防潮堤である。
【００１４】
前記水平方向骨格部材の上端よりも上方に位置する複数の前記第１の鉄筋は前記水平方向骨格部材の下端よりも下方に位置する複数の前記第１の鉄筋と略鉛直方向にそれぞれ対向するように略平行に配置されており、前記水平方向骨格部材の上端よりも上方に位置する複数の前記第２の鉄筋は前記水平方向骨格部材の下端よりも下方に位置する複数の前記第２の鉄筋と略鉛直方向にそれぞれ対向するように略平行に配置されていて、前記水平方向骨格部材の上端よりも上方に位置する前記第１の鉄筋と前記水平方向骨格部材の上端よりも上方に位置する前記第２の鉄筋との交点Ｘの略鉛直方向の下方には、前記水平方向骨格部材の下端よりも下方に位置する前記第１の鉄筋と前記水平方向骨格部材の下端よりも下方に位置する前記第２の鉄筋との交点Ｙが位置しており、前記基礎構造は、両端部にフックを有する第３の鉄筋をその長手方向が略鉛直方向となるように内部に複数備えていて、前記第３の鉄筋は、その両端部の前記フックが、前記交点Ｘおよび前記交点Ｙにおいて、前記第１の鉄筋および前記第２の鉄筋に引っ掛けられて配置されていることが好ましい。
【００１５】
前記基礎構造は、略長方形状に閉じた第１の帯鉄筋を複数有しており、前記第１の帯鉄筋を含む平面は、前記プレキャスト壁体の法線方向と略平行な略鉛直面であり、前記第１の帯鉄筋を含む前記平面で前記基礎構造を切断した切断面の形状は略長方形であり、略長方形の前記切断面の４辺に沿うように、前記第１の帯鉄筋が配置されており、前記第１の帯鉄筋の上辺および下辺の鉄筋がどちらも前記第１の鉄筋となるように構成されていてもよい。
【００１６】
ここで、前記第１の帯鉄筋を含む平面で前記基礎構造を切断した切断面の形状が「略長方形」であるとは、切断面の輪郭線の大半の部分が長方形と判断できる図形の輪郭線に含まれていれば「略長方形」であるとする概念であり、例えば切断面の輪郭線の一部に、長方形と判断できる図形から突出した部位等があっても、切断面の輪郭線の大半の部分が長方形と判断できる図形の輪郭線に含まれていれば、その突出した部位等は無視して形状を判断する概念である。
【００１７】
また、「前記第１の帯鉄筋を含む平面」とは、前記第１の帯鉄筋が形成する略長方形状の図形の４辺を全て含む平面のことである。
【００１８】
前記基礎構造は、略長方形状に閉じた第２の帯鉄筋を複数有しており、前記第２の帯鉄筋を含む平面は、前記プレキャスト壁体の法線方向と略直交しており、前記第２の帯鉄筋を含む前記平面で前記基礎構造を切断した切断面の形状は略長方形であり、略長方形の前記切断面の４辺に沿うように、前記第２の帯鉄筋が配置されており、前記第２の帯鉄筋の上辺および下辺の鉄筋がどちらも前記第２の鉄筋となるように構成されていてもよい。
【００１９】
ここで、前記第２の帯鉄筋を含む平面で前記基礎構造を切断した切断面の形状が「略長方形」であるとは、切断面の輪郭線の大半の部分が長方形と判断できる図形の輪郭線に含まれていれば「略長方形」であるとする概念であり、例えば切断面の輪郭線の一部に、長方形と判断できる図形から突出した部位等があっても、切断面の輪郭線の大半の部分が長方形と判断できる図形の輪郭線に含まれていれば、その突出した部位等は無視して形状を判断する概念である。
【００２０】
また、「前記第２の帯鉄筋を含む平面」とは、前記第２の帯鉄筋が形成する略長方形状の図形の４辺を全て含む平面のことである。
【００２１】
前記突出さや管の部位のうち前記基礎構造に埋め込まれた部位の外表面に、略水平方向に突出するようにダイヤフラムを設け、該ダイヤフラムに前記水平方向骨格部材が取り付けられているように構成してもよい。
【００２２】
前記突出さや管を鋼管とし、前記ダイヤフラムを鋼板とし、前記水平方向骨格部材をＩ形の鋼材としてもよい。
【００２３】
前記芯材を鋼管としてもよい。
【００２４】
前記芯材を、鋼板からビルドアップして製作された鋼材としてもよいし、または形鋼としてもよい。
【００２５】
前記突出さや管と該突出さや管が差し込まれた前記壁体さや管との間隙にはグラウト材が充填され、前記芯材と該芯材が差し込まれた前記突出さや管との間隙にはグラウト材が充填され、前記芯材と該芯材が内部を挿通する前記壁体さや管との間隙にはグラウト材が充填されているようにしてもよい。
【００２６】
前記プレキャスト壁体は、その法線方向の両端部の壁厚がそれ以外の部位の壁厚よりも厚くなっており、前記プレキャスト壁体の前記両端部に前記壁体さや管が備えられているようにしてもよい。
【００２７】
前記基礎構造は、その下面に、前記プレキャスト壁体の略法線方向に延びる、下方に突出した突出部を有しているようにしてもよい。
【発明の効果】
【００２８】
本発明に係る重力式防潮堤は、生コン使用量の低減に寄与することができる。
【図面の簡単な説明】
【００２９】
【図１】本発明の実施形態に係る重力式防潮堤を該重力式防潮堤の延びる方向から見た側面図
【図２】図１のＩＩ−ＩＩ線断面図
【図３】本発明の実施形態に係る重力式防潮堤１０において、突出さや管２６と水平方向骨格部材２８との連結状態を示す斜視図
【図４】上方から見た基礎構造２０の平面図（基礎構造２０内に配置されている鉄筋の状態を示す図）
【図５】法直方向から見た基礎構造２０の側面図（基礎構造２０内に配置されている鉄筋の状態を示す図）
【図６】法線方向から見た基礎構造２０の側面図（基礎構造２０内に配置されている鉄筋の状態を示す図）
【図７】法線方向から見た基礎構造２０の一部を拡大して示す拡大鉛直断面図（基礎構造２０内に配置されている鉄筋の状態を示す図）
【図８】重力式防潮堤１０を設置する際の工程のうちの一工程を模式的に示す図
【図９】重力式防潮堤１０を設置する際の工程のうちの一工程を模式的に示す図
【図１０】重力式防潮堤１０を設置する際の工程のうちの一工程を模式的に示す図
【図１１】重力式防潮堤１０を設置する際の工程のうちの一工程を模式的に示す図
【図１２】重力式防潮堤１０を設置する際の工程のうちの一工程を模式的に示す図
【図１３】重力式防潮堤１０を設置する際の工程のうちの一工程を模式的に示す図
【図１４】重力式防潮堤１０を設置する際の工程のうちの一工程を模式的に示す図
【図１５】重力式防潮堤１０を設置する際の工程のうちの一工程を模式的に示す図
【図１６】重力式防潮堤１０を設置する際の工程のうちの一工程を模式的に示す図
【図１７】重力式防潮堤１０を設置する際の工程のうちの一工程を模式的に示す図
【図１８】重力式防潮堤１０を設置する際の工程のうちの一工程を模式的に示す図
【図１９】重力式防潮堤１０を設置する際の工程のうちの一工程を模式的に示す図
【図２０】重力式防潮堤１０を設置する際の工程のうちの一工程を模式的に示す図
【図２１】重力式防潮堤１０を設置する際の工程のうちの一工程を模式的に示す図
【発明を実施するための形態】
【００３０】
以下、図面を参照して、本発明の実施形態を詳細に説明する。
【００３１】
図１は、本発明の実施形態に係る重力式防潮堤を該重力式防潮堤の延びる方向から見た側面図であり、図２は、図１のＩＩ−ＩＩ線断面図である。本発明の実施形態に係る重力式防潮堤の延びる方向は、プレキャスト壁体４０の延びる方向である法線方向であり、海岸線にほぼ沿う方向となることが多い。なお、突出さや管２６は外部から目視することができないが、図１および図２においては、図示の都合上、突出さや管２６を実線で描いている。
【００３２】
本実施形態に係る重力式防潮堤１０は、基礎構造２０と、４段に積まれたプレキャスト壁体４０と、基礎構造２０および４段に積まれたプレキャスト壁体４０を連結する芯材５０と、を備えてなる。
【００３３】
基礎構造２０は、現場打ちコンクリート２２を用いて形成されており、上方に開口した上方開口孔２４を有し、該上方開口孔２４の内面には基礎構造２０の上面よりも上方の位置まで延伸している突出さや管２６が備えられている。
【００３４】
さらに、基礎構造２０は、その内部に、プレキャスト壁体４０の法線方向と略直交する略水平方向に水平方向骨格部材２８を複数備えていて、２つの水平方向骨格部材２８が突出さや管２６を略法直方向に挟み込むように配置されている。
【００３５】
図３は、突出さや管２６と水平方向骨格部材２８との連結状態を示す斜視図である。図３に示すように、突出さや管２６の部位のうち基礎構造２０に埋め込まれた部位の外表面には、略水平方向に突出するようにダイヤフラム２７が設けられており、該ダイヤフラム２７に２つの水平方向骨格部材２８が突出さや管２６を略法直方向に挟み込むように取り付けられている。
【００３６】
水平方向骨格部材２８は、Ｉ形の鋼材であり、その長手方向が略法直方向となるように配置されているため、本実施形態に係る重力式防潮堤１０が大津波等から受けた外力を地盤に伝達する上で大きな役割を果たし、本実施形態に係る重力式防潮堤１０が防潮堤としての機能を発揮する上で重要な部材である。
【００３７】
プレキャスト壁体４０は、基礎構造２０の上方に配置され、面内方向に貫通する壁体貫通孔４２を有し、壁体貫通孔４２の内面に壁体さや管４４を有している。プレキャスト壁体４０は、図２に示すように、その法線方向の両端部の壁厚がそれ以外の部位の壁厚よりも厚くなっており、プレキャスト壁体４０の両端部に壁体さや管４４が備えられている。プレキャスト壁体４０は、壁体さや管４４を設ける両端部のみ壁厚を厚くしており、それ以外の部位は壁厚が厚くなっていないので、プレキャスト壁体４０全体の重量が増加することが抑制されている。
【００３８】
プレキャスト壁体４０は、壁体貫通孔４２同士が連結するように鉛直方向に４段積み重ねられ、鉛直方向に４段積み重ねられたプレキャスト壁体４０のうち少なくとも最下段のプレキャスト壁体４０の壁体さや管４４には突出さや管２６が差し込まれ、該突出さや管２６には芯材５０が差し込まれている。
【００３９】
また、プレキャスト壁体４０は、想定される外力を直接に受ける外面を、想定される外力の進行方向（例えば、大津波が進行してくると予想される方向）に向けるように配置されており、本実施形態に係る重力式防潮堤１０においては、図２の左側が海側となっている。図２に示すように、複数の重力式防潮堤１０を水平方向に連続するように配置することで、例えば海岸線に沿って延びる防潮堤を構築することができる。
【００４０】
突出さや管２６に差し込まれた芯材５０は、突出さや管２６の上端よりも上方に延伸していて壁体さや管４４の内部を挿通して、鉛直方向に４段積み重ねられたプレキャスト壁体４０の最上段のプレキャスト壁体４０の天端付近に達している。
【００４１】
突出さや管２６と該突出さや管２６が差し込まれた壁体さや管４４との間隙にはグラウト材が充填されて一体化され、芯材５０と該芯材５０が差し込まれた突出さや管２６との間隙にはグラウト材が充填されて一体化され、芯材５０と該芯材５０が内部を挿通する壁体さや管４４との間隙にはグラウト材が充填されて一体化されており、これにより、基礎構造２０および４段に積まれたプレキャスト壁体４０は一体化されて、本実施形態に係る重力式防潮堤１０が構成されている。
【００４２】
本実施形態に係る重力式防潮堤１０においては、基礎構造２０と最下段のプレキャスト壁体４０との連結部の水平断面には、突出さや管２６、壁体さや管４４、および芯材５０が存在しており、鋼材量が多くなっているため、基礎構造２０と最下段のプレキャスト壁体４０との連結部において、プレキャスト壁体４０の厚さを厚くしなくても、基礎構造２０とプレキャスト壁体４０との間の応力伝達は十分に行われる。
【００４３】
芯材５０は、基礎構造２０および４段に積まれたプレキャスト壁体４０を連結する役割を有する。芯材５０は、基礎構造２０および４段に積まれたプレキャスト壁体４０を連結するのに十分な断面力伝達能力を有していれば、その材質や形状は特には限定されないが、具体的には例えば鋼管を用いることができる。また、具体的には例えば、鋼板からビルドアップして製作された鋼材または形鋼を用いることもできる。鋼板からビルドアップして製作された鋼材や形鋼を芯材５０に用いる場合、その断面形状も特には限定されないが、例えば断面がＨ形のものを用いることもできる。また、芯材５０は、１つの部材のみで形成されていなくてもよく、想定される断面力の伝達を十分になすことができるのであれば、複数の部材を溶接や機械的な接合により連結させたものであってもよい。
【００４４】
なお、図１に示すように、基礎構造２０は、その下面に、プレキャスト壁体４０の略法線方向に延びる、下方に突出した突出部３０を有しており、該突出部３０はプレキャスト壁体４０の下方に位置している。この突出部３０は、本実施形態に係る重力式防潮堤１０が大津波等の外力を受けた際、滑動を防止する機能を発揮する。
【００４５】
また、以上説明した本実施形態に係る重力式防潮堤１０においては、プレキャスト壁体４０を鉛直方向に４段積むように構成したが、プレキャスト壁体４０を積む段数は４段に限定されているわけではなく、設置する場所や要求される性能等に応じて、１〜３段にしてもよく、あるいは５段以上にしてもよい。
【００４６】
以上、本実施形態に係る重力式防潮堤１０についての説明を一通り行ったが、本実施形態に係る重力式防潮堤１０においては、その基礎構造２０が内部に種々の鉄筋を備えていて、現場打ちコンクリート２２が強固に一体化されていて、現場打ちコンクリート２２が構造部材として機能するようになっている点に大きな特徴があるので、本実施形態に係る重力式防潮堤１０の基礎構造２０についてさらに詳細に説明する。
【００４７】
図４〜図７は、基礎構造２０内に配置されている鉄筋の状態を示す図面であり、図４は上方から見た基礎構造２０の平面図であり、図５は法直方向から見た基礎構造２０の側面図であり、図６は法線方向から見た基礎構造２０の側面図であり、図７は法線方向から見た基礎構造２０の一部を拡大して示す拡大鉛直断面図である。
【００４８】
図４〜図７に示すように、基礎構造２０は、その内部にさらに、略長方形状に閉じた第１、第２の帯鉄筋３２、３４をそれぞれ複数有しており、第１の帯鉄筋３２は、第１の帯鉄筋３２を含む平面が、プレキャスト壁体４０の法線方向と略平行な略鉛直面となるように配置されており、第２の帯鉄筋３４は、第２の帯鉄筋３４を含む平面が、プレキャスト壁体４０の法線方向と略直交するように配置されている。
【００４９】
また、図５に示すように、略長方形状に閉じた第１の帯鉄筋３２の長辺の延びる方向は略水平方向であり、短辺の延びる方向は略鉛直方向であり、第１の帯鉄筋３２は、第１の帯鉄筋３２を含む平面で基礎構造２０を切断して得られる略長方形の切断面の４辺に沿うように基礎構造２０の内部に配置されている。また、第１の帯鉄筋３２は、略法直方向に所定のピッチＡ（例えば、３００ｍｍ）で複数配置されている。なお、第１の帯鉄筋３２は、端部にフックのある複数の鉄筋および重ね継手等の鉄筋継手を組み合わせて構成することができる。もちろん１本の鉄筋で第１の帯鉄筋３２を構成するようにしてもよい。
【００５０】
また、図６に示すように、略長方形状に閉じた第２の帯鉄筋３４の長辺の延びる方向は略水平方向であり、短辺の延びる方向は略鉛直方向であり、第２の帯鉄筋３４は、第２の帯鉄筋３４を含む平面で基礎構造２０を切断して得られる略長方形の切断面の４辺に沿うように基礎構造２０の内部に配置されている。また、第２の帯鉄筋３４は、略法線方向に所定のピッチＢ（例えば、２００ｍｍ）で複数配置されている。なお、第２の帯鉄筋３４は、端部にフックのある複数の鉄筋および重ね継手等の鉄筋継手を組み合わせて構成することができる。もちろん１本の鉄筋で第２の帯鉄筋３４を構成するようにしてもよい。
【００５１】
また、第１の帯鉄筋３２は、法直方向から見てその内部に水平方向骨格部材２８を含むように配置されており、第２の帯鉄筋３４は法線方向から見てその内部に水平方向骨格部材２８を含むように配置されている。
【００５２】
第１の帯鉄筋３２の上辺の鉄筋を第１の鉄筋３２Ａとし、第１の帯鉄筋３２の下辺の鉄筋を第１の鉄筋３２Ｂとすると、基礎構造２０は、水平方向骨格部材２８の上端よりも上方に位置して略法線方向に延びる第１の鉄筋３２Ａを略法直方向に所定のピッチＡ（例えば、３００ｍｍ）で複数備え、水平方向骨格部材２８の下端よりも下方に位置して略法線方向に延びる第１の鉄筋３２Ｂを略法直方向に所定のピッチＡ（例えば、３００ｍｍ）で複数備えていることになる。
【００５３】
また、第２の帯鉄筋３４の上辺の鉄筋を第２の鉄筋３４Ａとし、第２の帯鉄筋３４の下辺の鉄筋を第２の鉄筋３４Ｂとすると、基礎構造２０は、水平方向骨格部材２８の上端よりも上方に位置して略法直方向に延びる第２の鉄筋３４Ａを略法線方向に所定のピッチＢ（例えば、２００ｍｍ）で複数備え、水平方向骨格部材２８の下端よりも下方に位置して略法直方向に延びる第２の鉄筋３４Ｂを略法線方向に所定のピッチＢ（例えば、２００ｍｍ）で複数備えていることになる。
【００５４】
また、水平方向骨格部材２８の上端よりも上方に位置する複数の第１の鉄筋３２Ａは水平方向骨格部材２８の下端よりも下方に位置する複数の第１の鉄筋３２Ｂと略鉛直方向にそれぞれ対向するように略平行に配置されており、水平方向骨格部材２８の上端よりも上方に位置する複数の第２の鉄筋３４Ａは水平方向骨格部材２８の下端よりも下方に位置する複数の第２の鉄筋３４Ｂと略鉛直方向にそれぞれ対向するように略平行に配置されている。
【００５５】
そのため、水平方向骨格部材２８の上端よりも上方に位置する第１の鉄筋３２Ａと水平方向骨格部材２８の上端よりも上方に位置する第２の鉄筋３４Ａとの交点Ｘの略鉛直方向の下方には、水平方向骨格部材２８の下端よりも下方に位置する第１の鉄筋３２Ｂと水平方向骨格部材２８の下端よりも下方に位置する第２の鉄筋３４Ｂとの交点Ｙが位置している。
【００５６】
また、基礎構造２０は、両端部にフック３６Ａ、３６Ｂを有する第３の鉄筋３６をその長手方向が略鉛直方向となるように内部に複数備えていて、第３の鉄筋３６は、その上端部のフック３６Ａが、交点Ｘにおいて、第１の鉄筋３２Ａおよび第２の鉄筋３４Ａに引っ掛けられ、かつ、その下端部のフック３６Ｂが、交点Ｙにおいて、第１の鉄筋３２Ｂおよび第２の鉄筋３４Ｂに引っ掛けられて配置されている。第３の鉄筋３６はせん断補強鉄筋として機能する。
【００５７】
また、基礎構造２０には、法直方向と略平行な側面の近傍に、長手方向が略法直方向となるように用心鉄筋３８が配置されており、法線方向と略平行な側面の近傍に、長手方向が略法線方向となるように用心鉄筋３９が配置されている。用心鉄筋３８、３９は、基礎構造２０の側面にひび割れが発生することを抑制する。
【００５８】
基礎構造２０は、現場打ちコンクリート２２を用いて形成されているが、以上説明したように、基礎構造２０の内部には、水平方向骨格部材２８、第１の帯鉄筋３２（第１の帯鉄筋３２には第１の鉄筋３２Ａ、３２Ｂが含まれる）、第２の帯鉄筋３４（第２の帯鉄筋３４には第２の鉄筋３４Ａ、３４Ｂが含まれる）、第３の鉄筋３６（せん断補強鉄筋として機能する）、および用心鉄筋３８、３９が配置されていて、基礎構造２０の現場打ちコンクリート２２は強固に一体化されており、現場打ちコンクリート２２が構造部材として機能するようになっていて、現場打ちコンクリート２２の重量を本実施形態に係る重力式防潮堤１０の躯体重量として算入することができるようになっている。この点が本実施形態に係る重力式防潮堤１０の大きな特徴となっている。
【００５９】
ここで、重力式ではない堤体として、プレキャストフーチングおよびプレキャスト壁体を用いた杭式の堤体が公知の技術（例えば、特許第５３３９００１号）として存在しており、この公知技術である杭式の堤体において、プレキャストフーチング同士の間を現場打ちコンクリートで埋める場合があるが、この現場打ちコンクリートは洗掘の防止を主目的としてプレキャストフーチング同士の間に配置されており、杭式の堤体の構造部材としては機能しておらず、杭式の堤体の躯体重量として算入することはできない。
【００６０】
一方、本実施形態に係る重力式防潮堤１０においては、前述したように、プレキャスト壁体４０の下方に位置する基礎構造２０を形成する現場打ちコンクリート２２が構造部材として機能するようになっており、現場打ちコンクリート２２の全重量を重力式防潮堤１０の躯体重量として算入することができるようになっている。このため、本実施形態に係る重力式防潮堤１０の上部構造を構成するプレキャスト壁体４０の重量を大きくしなくても（前述したように、本実施形態に係る重力式防潮堤１０において、プレキャスト壁体４０と基礎構造２０との連結は工夫された連結構造を採用しており、最下段のプレキャスト壁体４０についても上段のプレキャスト壁体４０と比べて壁厚を厚くすることは不要となっており、また、プレキャスト壁体４０は、壁体さや管４４を設ける両端部のみ壁厚が厚くなっているので、上部構造を構成するプレキャスト壁体４０の合計重量は大きくはなっていない。）、本実施形態に係る重力式防潮堤１０は、重力式防潮堤としての機能を十分に発揮することができるようになっている。
【００６１】
即ち、本実施形態に係る重力式防潮堤１０においては、現場打ちコンクリート２２が構造部材として機能するように工夫することにより、現場打ちコンクリート２２の全重量を重力式防潮堤１０の躯体重量として算入することができるようになっており、このため、重力式防潮堤１０の上部構造を構成するプレキャスト壁体４０の重量を大きくしなくても、重力式防潮堤としての機能を発揮できるようになっている。したがって、本実施形態に係る重力式防潮堤１０においては、プレキャスト壁体４０の重量を小さく抑えることができるため、重力式防潮堤であっても、上部構造にプレキャスト壁体を採用しやすくなっている（プレキャスト壁体４０の重量を小さく抑えることができず、プレキャスト壁体４０の重量が大きくなると、プレキャスト壁体４０を吊り上げて設置する際の施工性が悪くなるため、上部構造にプレキャスト壁体を採用しにくくなる。）。
【００６２】
換言すれば、本実施形態に係る重力式防潮堤１０は、重力式防潮堤であっても、上部構造の重量を大きくする必要がないため、上部構造へのプレキャスト壁体の採用を促進することができ、これにより生コン使用量の低減に寄与することができる。
【００６３】
次に、重力式防潮堤１０の設置手順の一例について説明する。ここまでの重力式防潮堤１０についての説明では、プレキャスト壁体４０を４段に積んだものとして説明を行ってきたが、以降の重力式防潮堤１０の設置手順の一例についての説明では、プレキャスト壁体４０を３段に積むものとして説明を行う。重力式防潮堤１０を設置する際には、例えば、次のような手順で施工を行うことができる。
【００６４】
（１）重力式防潮堤１０の設置予定地点において、重力式防潮堤１０の設置に支障となる既設物の撤去を行う。
【００６５】
（２）重力式防潮堤１０の設置予定地点に捨てコンクリート８０を敷設する（図８参照）。
【００６６】
（３）ダイヤフラム２７を介して連結された突出さや管２６と水平方向骨格部材２８（図３参照）を捨てコンクリート８０の上に設置する（図９参照）。
【００６７】
（４）基礎構造２０内に配置する鉄筋の配筋を行い、型枠８２を組む（図１０参照）。
【００６８】
（５）生コンを打設して、基礎構造２０を構築する（図１１参照）。
【００６９】
（６）埋め戻しを行う（図１２参照）。
【００７０】
（７）芯材５０をクレーン８４で吊り上げて、芯材５０の設置を行う（図１３参照）。
【００７１】
（８）芯材５０と該芯材５０が差し込まれた突出さや管２６との間隙にグラウト材を充填する（図１４参照）。
【００７２】
（９）１段目のプレキャスト壁体４０を搬入して、クレーン８４で吊り上げて、１段目のプレキャスト壁体４０の設置を行う（図１５参照）。
【００７３】
（１０）突出さや管２６と該突出さや管２６が差し込まれた壁体さや管４４との間隙にグラウト材を充填するとともに、１段目のプレキャスト壁体４０の壁体さや管４４と芯材５０との間隙にグラウト材を充填する（図１６参照）。
【００７４】
（１１）２段目のプレキャスト壁体４０を搬入して、クレーン８４で吊り上げて、２段目のプレキャスト壁体４０の設置を行う（図１７参照）。
【００７５】
（１２）２段目のプレキャスト壁体４０の壁体さや管４４と芯材５０との間隙にグラウト材を充填する（図１８参照）。
【００７６】
（１３）３段目のプレキャスト壁体４０を搬入して、クレーン８４で吊り上げて、３段目のプレキャスト壁体４０の設置を行う（図１９参照）。
【００７７】
（１４）３段目のプレキャスト壁体４０の壁体さや管４４と芯材５０との間隙にグラウト材を充填する（図２０参照）。
【００７８】
（１５）必要に応じて嵩上げを行う（図２１参照）。
【００７９】
なお、充填するグラウト材の材質は、想定される断面力を伝達するのに十分な連結状態が得られて、基礎構造２０および３段に積まれたプレキャスト壁体４０が十分に一体化されるのであれば特に限定されず、例えば、セメント（モルタル）系グラウト材、ガラス系グラウト材、合成樹脂系グラウト材等を用いることができる。
【００８０】
また、前記の説明では、各段のプレキャスト壁体４０を設置するごとにグラウト材の充填を行ったが、プレキャスト壁体４０を複数段設置する場合のグラウト材の充填時期は特には限定されず、プレキャスト壁体４０を複数段積んだ後に複数段の分のグラウト材を一度に充填してもよい。
【００８１】
以上のように施工することにより、本実施形態に係る重力式防潮堤１０を得ることができる。
【００８２】
このような施工を繰り返し行うことにより、複数の重力式防潮堤１０を水平方向に連続するように配置（例えば図２参照）して、例えば海岸線に沿って延びる重力式防潮堤を構築することができる。
【符号の説明】
【００８３】
１０…重力式防潮堤
２０…基礎構造
２２…現場打ちコンクリート
２４…上方開口孔
２６…突出さや管
２７…ダイヤフラム
２８…水平方向骨格部材
３０…突出部
３２…第１の帯鉄筋
３２Ａ、３２Ｂ…第１の鉄筋
３４…第２の帯鉄筋
３４Ａ、３４Ｂ…第２の鉄筋
３６…第３の鉄筋
３６Ａ、３６Ｂ…フック
３８、３９…用心鉄筋
４０…プレキャスト壁体
４２…壁体貫通孔
４４…壁体さや管
５０…芯材
８０…捨てコンクリート
８２…型枠
８４…クレーン
Ｘ、Ｙ…交点
【図１】
2018009361.tif 000003
【図２】
2018009361.tif 000004
【図３】
2018009361.tif 000005
【図４】
2018009361.tif 000006
【図５】
2018009361.tif 000007
【図６】
2018009361.tif 000008
【図７】
2018009361.tif 000009
【図８】
2018009361.tif 000010
【図９】
2018009361.tif 000011
【図１０】
2018009361.tif 000012
【図１１】
2018009361.tif 000013
【図１２】
2018009361.tif 000014
【図１３】
2018009361.tif 000015
【図１４】
2018009361.tif 000016
【図１５】
2018009361.tif 000017
【図１６】
2018009361.tif 000018
【図１７】
2018009361.tif 000019
【図１８】
2018009361.tif 000020
【図１９】
2018009361.tif 000021
【図２０】
2018009361.tif 000022
【図２１】
2018009361.tif 000023